(57)【要約】【課題】  ラジエータファン等のファン１において、ファン１の軸芯方向の動バランスを簡単に調整できるようにする。【解決手段】  一端が開口３ｄした有底円筒形状のファンボス部３の内筒側に、筒底部３ａから開口３ｄ側に向けて第一バランサ４を突出形成する一方、開口３ｄから筒底部３ａ側に向けて第二バランサ５を突出形成することで、軸芯方向に異なった位置に第一、第二バランサ４、５を配する構成とし、これによって動バランスの調整をするようにした。【選択図】        図３
2006316661.tif 000002
【特許請求の範囲】
【請求項１】
ファンボス部にバランス調整用のバランサを形成するにあたり、該バランサには、軸芯方向のバランスを調整する動バランス調整機能があることを特徴とするファン。
【請求項２】
請求項１において、バランサは、軸芯方向に位置を異ならせて設けることで動バランス調整機能を備えるように構成したことを特徴とするファン。
【請求項３】
請求項１において、バランサは、軸芯方向に長さを異ならせて設けることで動バランス調整機能を備えるように構成したことを特徴とするファン。
【請求項４】
請求項２または３において、軸芯方向に位置または長さを異ならせた第一バランサ、第二バランサは、周回り方向に交互に設けられていることを特徴とするファン。
【請求項５】
請求項２または４において、軸芯方向に位置を異ならせて設けられるバランサは、一端が開口した有底円筒形状のファンボス部内筒の筒底部側と開口側とにそれぞれ設けられる第一バランサと第二バランサとし、開口側に設けられる第二バランサは、筒底部に開設される冷却孔と軸芯方向に一致した位置に設けられることを特徴とするファン。
【請求項６】
請求項５において、筒底部側に設けられる第一バランサは、静バランス調整機能を有していることを特徴とするファン。
【請求項７】
請求項２または４において、軸芯方向に長さを異ならせて設けられるバランサは、一端が開口した有底円筒形状のファンボス部内筒の筒底部から開口側に向けて長さを異ならせて設けた第一バランサと第二バランサであることを特徴とするファン。
【請求項８】
請求項７において、長さが短い第一バランサは静バランス調整機能を有していることを特徴とするファン。
【請求項９】
請求項５または６において、ファンボス部は、内筒側を形成する第一金型と外筒側を形成する第二金型とを用いて形成され、冷却孔と第二バランサとは、第二金型に設けた突出型部で形成されるようにしたことを特徴とするファン。
【請求項１０】
請求項７または８において、ファンボス部は、内筒側を形成する第一金型と外筒側を形成する第二金型とを用いて形成され、長さが異なる第一、第二バランサは、第一金型に設けた没入長さの異なる第一、第二の凹型部で形成されるようにしたことを特徴とするファン。
【発明の詳細な説明】
【技術分野】
【０００１】
本発明は、ラジエータファン等のファンのバランス調整構造の技術分野に属するものである。
【背景技術】
【０００２】
一般に、この種ファンにおいては、静バランス（回転方向のバランス）と動バランス（回転軸方向のバランス）とを調整することにより安定した回転を行わせる必要がある。そこで従来は、ファンを削ったりしてバランス調整をしていたが、作業が面倒かつ煩雑であって作業性が劣るという問題があった。
この改善策として、ファン金型にバランス調整用の螺子を出没自在に設け、該螺子の出没量によりバランス調整するようにしたものが知られている（特許文献１）
【特許文献１】実公平４−５００９９号公報
【発明の開示】
【発明が解決しようとする課題】
【０００３】
ところが前記螺子によってバランス調整するものは、静バランスの調整を行うものであって、動バランスについての調整を行うものでなく、この結果、動バランスについては従来どおりファンを削ったりして調整しており、依然として作業性が悪いものであり、ここに本発明の解決すべき課題がある。
【課題を解決するための手段】
【０００４】
本発明は、上記の如き実情に鑑みこれらの課題を解決することを目的として創作されたものであって、請求項１の発明は、ファンボス部にバランス調整用のバランサを形成するにあたり、該バランサには、軸芯方向のバランスを調整する動バランス調整機能があることを特徴とするファンである。
請求項２の発明は、請求項１において、バランサは、軸芯方向に位置を異ならせて設けることで動バランス調整機能を備えるように構成したことを特徴とするファンである。
請求項３の発明は、請求項１において、バランサは、軸芯方向に長さを異ならせて設けることで動バランス調整機能を備えるように構成したことを特徴とするファンである。
請求項４の発明は、請求項２または３において、軸芯方向に位置または長さを異ならせた第一バランサ、第二バランサは、周回り方向に交互に設けられていることを特徴とするファンである。
請求項５の発明は、請求項２または４において、軸芯方向に位置を異ならせて設けられるバランサは、一端が開口した有底円筒形状のファンボス部内筒の筒底部側と開口側とにそれぞれ設けられる第一バランサと第二バランサとし、開口側に設けられる第二バランサは、筒底部に開設される冷却孔と軸芯方向に一致した位置に設けられることを特徴とするファンである。
請求項６の発明は、請求項５において、筒底部側に設けられる第一バランサは、静バランス調整機能を有していることを特徴とするファンである。
請求項７の発明は、請求項２または４において、軸芯方向に長さを異ならせて設けられるバランサは、一端が開口した有底円筒形状のファンボス部内筒の筒底部から開口側に向けて長さを異ならせて設けた第一バランサと第二バランサであることを特徴とするファンである。
請求項８の発明は、請求項７において、長さが短い第一バランサは静バランス調整機能を有していることを特徴とするファンである。
請求項９の発明は、請求項５または６において、ファンボス部は、内筒側を形成する第一金型と外筒側を形成する第二金型とを用いて形成され、冷却孔と第二バランサとは、第二金型に設けた突出型部で形成されるようにしたことを特徴とするファンである。
請求項１０の発明は、請求項７または８において、ファンボス部は、内筒側を形成する第一金型と外筒側を形成する第二金型とを用いて形成され、長さが異なる第一、第二バランサは、第一金型に設けた没入長さの異なる第一、第二の凹型部で形成されるようにしたことを特徴とするファンである。
【発明の効果】
【０００５】
請求項１の発明とすることにより、ファンボス部に動バランス調整機能があることになってファンのバランスが向上する。
請求項２または３の発明とすることにより、ファンの動バランス調整構造を簡単に構成できる。
請求項４の発明とすることにより、バランサの配置が交互になって安定配置ができることになる。
請求項５または９の発明とすることにより、冷却孔を利用して第二バランサの型形成ができることになる。
請求項６または８の発明とすることにより、静バランスの調整もできることになる。
請求項７または１０の発明とすることにより、長さの異なる第一、第二バランサの型形成が簡単にできることになる。
【発明を実施するための最良の形態】
【０００６】
次ぎに、本発明の実施の形態について、図面に基づいて説明する。図中、１はラジエータ用のファンであって、該ファン１は、周回り方向に配された複数枚の羽根２と該羽根２が外周から突出するボス部３とを備えて構成される。ボス部３は、軸芯方向一端が開口した有底円筒形状をし、筒底部３ａと円筒部３ｂとの内面間のあいだにはファン１の回転中心側ほど低くなるように設定したリブ３ｃが放射状に複数形成されている。尚、Ｍはモータである。
【０００７】
そして前記隣接するリブ３ｃ間にバランス調整をするための第一、第二のバランサ４、５が周回り方向に交互に設けられているが、図２に示される第一の実施の形態のものは第一バランサ４が筒底部３ａから開口３ｄ側に向けて突出するように形成され、第二バランサ５が円筒部３ｂの開口３ｄ端側から筒底部３ａ側に向けて突出するように形成され、このように軸芯方向の位置を異ならしめることで軸芯方向のバランス、つまり動バランスの調整ができるようになっている。また第一バランサ４によって静バランスの調製もできるようになっている。
【０００８】
前記ファンボス部３は、ボス部内筒（内面）側を形成するための第一金型６とボス部外筒（外面）側を形成するための第二金型７とを型合わせした状態で樹脂を射出成型して形成されることになるが、第二金型７には、第二バランサ５を型形成するため、筒底部３ａを貫通して開口３ｄ部にまで至る突出型部８が形成され、該突出型部８の先端側から形成した凹部８ａに、螺子頭９ａが凹部８ａに没入する状態で調整用螺子９を移動自在に螺入することで、第二バランサ５の軸芯方向の長さを調整してバランス調整ができるようになっている。このため型形成されたファン筒底部３ａには、前記突出型部８が貫通することによって形成される孔３ｅが第二バランサ５と軸芯方向に一致する位置に開設されることになるが、該孔３ｅはファン１の冷却孔になる。尚、第二バランサ５は、円筒部３ｂと連結して一体化させる必要があり、そのため図４（Ａ）のように連結リブ５ａを形成したもの、同図（Ｂ）のように第二バランサ５を直接円筒部３ｂに連結したもののどちらでもよいが、本実施の形態では前者のものを採用している。このため図５に示すように第二金型７には連結リブ５ａを形成するための型面７ａが切欠される状態で形成されている。
【０００９】
また、第一金型６には、第一バランサ４を型形成するための凹部６ａが形成され、該凹部６ａに、螺子頭１０ａが凹部６ａに没入する状態で調整用螺子１０を移動自在に螺入することで、第一バランサ４の軸芯方向の長さを調整してバランス調整ができるようになっている。
【００１０】
叙述のごとく構成された本発明の第一の実施の形態において、ファンボス部３には、軸芯方向に位置ずれするようにして設けられた第一、第二のバランサ４、５があることで、軸芯方向のバランスである動バランスの調整がなされ、この結果、成型後に必要だった動バランス調整が不要となる。
しかもこのものでは筒底側の第一バランサ４が軸回り方向のバランス、つまり静バランスの調整もなされることになって、ファン１のバランス調整が必要なくなる。
【００１１】
しかも開口３ｄ側に設けられる第二バランサ５は、ファンボス部３の外筒側をを形成する第二金型７に形成した突出型部８によって形成されることになるが、該突出型部８は筒底部３ａを貫通することになって冷却孔３ｄが同時形成されることになる。この結果、開口３ｄ側の第二バランサ５と冷却孔３ｅとの形成が簡単にできて、成型作業の容易化が計れ、コストダウンも達成できる。
【００１２】
次に、図６、７に第二の実施の形態について説明するが、前記第一の実施の形態と同じものについては同じ符号を付し、その詳細については省略する。このものは筒底部３ａから開口３ｄ側に向けて長さが異なる第一、第二のバランサ１０、１１を周回り方向にバランスが取れるよう突出形成したものであり、このようにすることで、静バランスと共に動バランスの調整ができることになる。
【００１３】
そしてこのものも、第一金型１２、第二金型１３によってファンボス部３が形成されるが、第一、第二バランサ１０、１１は第一金型１２に形成される没入長さの異なった第一、第二の凹型部１２ａ、１２ｂで形成されることになる。そして第一、第二バランサ１０、１１の突出長さは凹型部１２ａ、１２ｂに出没自在に設けた螺子部１４、１５によって調整され、これによって静および動のバランス調整ができるようになっている。
【図面の簡単な説明】
【００１４】
【図１】第一の実施の形態のラジエータファンの要部の縦断面図である。
【図２】ファンボス部の背面図である。
【図３】ファンボス部の縦断面図である。
【図４】（Ａ）（Ｂ）は第二バランサの二つの実施の形態を示す背面図である。
【図５】第一、第二金型を型合わせした状態を示す要部縦断面図である。
【図６】第二の実施の形態のファンボス部の縦断面図である。
【図７】同第一、第二金型を型合わせした状態を示す要部縦断面図である。
【符号の説明】
【００１５】
１    ラジエータ用のファン
３    ボス部
３ａ  筒底部
３ｂ  円筒部
３ｄ  開口
４    第一バランサ
５    第二バランサ
６    第一金型
７    第二金型
８    突出型部
９    調整用螺子
１０    第一バランサ
１１    第二バランサ
１２    第一金型
１３    第二金型
【図１】
2006316661.tif 000003
【図２】
2006316661.tif 000004
【図３】
2006316661.tif 000005
【図４】
2006316661.tif 000006
【図５】
2006316661.tif 000007
【図６】
2006316661.tif 000008
【図７】
2006316661.tif 000009